(57)【特許請求の範囲】
【請求項１】
少なくとも一対の柱と、これらの柱の上部間に位置する枠材とで区画された開口部分に遮蔽材を取り付けるための遮蔽材の取付構造であって、
前記枠材には押縁材が取り付けられ、
前記押縁材としては、種類の異なる前記遮蔽材に応じた異なる形状のものが用いられ、
前記枠材には、異なる形状の前記押縁材に対して共通な取付部が設けられ、
前記枠材の外方には、前記取付部を覆う枠カバーが取り付けられ、
前記枠カバーには、前記枠材に係止される枠材用カバー係止部と、異なる形状の前記押縁材の一つに係止される押縁材用カバー係止部と、他の異なる形状の前記押縁材が用いられる遮蔽材用のビードを取り付けるビード溝が設けられている遮蔽材の取付構造。
【請求項２】
前記取付部は、前記枠材の下面の外方側から下方に突設されて内方側に向けて開口した鉤形状の外方側係止部と、前記下面の内方側から下方に突設されてその先端が外方側に向けて膨出しているか折曲している第１内方側係止部と、前記下面の内方側の端部から下方に突設されてその先端が外方側に向けて膨出しているか折曲している第２内方側係止部とで構成され、
前記押縁材の上面の外方側には、前記外方側係止部に対して内方側から係止される外方側係止片が設けられ、前記上面の内方側には、前記第１内方側係止部に対して下方からスナップイン式で係止される第１内方側係止片が設けられ、前記上面の内方側の端部には、前記第２内方側係止部に対して下方から係合される第２内方側係止片が設けられる請求項１に記載の遮蔽材の取付構造。
【請求項３】
異なる形状の前記押縁材の一つは、水平面部と、この水平面部から下方に垂設された遮蔽材取付部とを有する胴縁アタッチメントであり、
この胴縁アタッチメントに対応して用いられる遮蔽材には、前記遮蔽材取付部に取り付けられる水平な取付桟が設けられている請求項１または請求項２に記載の遮蔽材の取付構造。
【請求項４】
異なる形状の前記押縁材の一つは、水平面部と、この水平面部の外方側に設けられたカバー片とを有する押縁カバーであり、
前記カバー片は、前記枠材の下方に位置したビード溝に対して内方側から近接する請求項１または請求項２に記載の遮蔽材の取付構造。
【請求項５】
異なる形状の前記押縁材の一つは、水平面部と、この水平面部の外方側に設けられたビード押さえとを有する押縁であり、
前記ビード押さえは、前記枠材の下方に位置したビード溝に対して内方側に対向する請求項１または請求項２に記載の遮蔽材の取付構造。
【発明の詳細な説明】
【技術分野】
【０００１】
本発明は、遮蔽材の取付構造に係り、例えばテラス屋根のような屋外設備の鉛直なスクリーン部に用いられる遮蔽材の取付構造に関する。
【背景技術】
【０００２】
従来、建物の屋外において、建物内と往来できるようにテラス等を隣設することが知られている。このテラスには、上方を覆うテラス屋根を設けることがある。テラス屋根では、屋根部分の軒先側を支持する柱間に遮蔽材が嵌め込まれる。遮蔽材としては、縦格子、横格子、横板格子、ルーバー、ガラスパネル等々、多数の種類が用意されており、遮蔽材に求められる機能や施工主の趣向等により選択され、建て付けられる。
【０００３】
一方、特許文献１には、枠体を備えたサッシ窓用のストアフロントについて提案されている。このストアフロントの内部には、嵌め殺し窓用のガラス障子、開き窓用の障子、内倒し用の障子、外倒し用の障子、あるいは引戸用の障子といった種々の障子がアタッチメントを介して建て付けられるようになっている。つまり、建物の躯体に取り付けられるストアフロントをそのままに、アタッチメントを変更することで、種々の障子に対応することが可能になっている。
【０００４】
このため、特許文献１に記載のアタッチメントを、テラス等で用いられる遮蔽材の取付に適用し、アタッチメントを変更するだけで、種々の遮蔽材に対応させて施工性を向上させたり、施工後の遮蔽材の変更等を容易にしたりすることが考えられる。
【先行技術文献】
【特許文献】
【０００５】
【特許文献１】特開平０７−１９７７４２号公報
【発明の概要】
【発明が解決しようとする課題】
【０００６】
しかしながら、特許文献１において、ストアフロント内に収容されるものとしては、サッシ窓として一般的である框枠を有した障子やガラス障子を想定しており、アタッチメントとしても、そのような障子に対応できるものに限られる。従って、そのようなアタッチメントをテラスといった屋外設備用の遮蔽材として必ずしも適用することができず、屋外設備の施工や、施工後の遮蔽材の交換・変更等を容易に行うことができないという問題がある。
【０００７】
本発明の目的は、所謂エクステリアと称される屋外設備用の種々の遮蔽材に確実に対応でき、屋外設備の施工や、施工後の遮蔽材の変更等を容易にできる遮蔽材の取付構造を提供することにある。
【課題を解決するための手段】
【０００８】
本発明の遮蔽材の取付構造は、少なくとも一対の柱と、これらの柱の上部間に位置する枠材とで区画された開口部分に遮蔽材を取り付けるための遮蔽材の取付構造であって、前記枠材には押縁材が取り付けられ、前記押縁材としては、種類の異なる前記遮蔽材に応じた異なる形状のものが用いられ、前記枠材には、異なる形状の前記押縁材に対して共通な取付部が設けられ、前記枠材の外方には、前記取付部を覆う枠カバーが取り付けられ、前記枠カバーには、前記枠材に係止される枠材用カバー係止部と、異なる形状の前記押縁材の一つに係止される押縁材用カバー係止部と、他の異なる形状の前記押縁材が用いられる遮蔽材用のビードを取り付けるビード溝が設けられていることを特徴とする。
ここで、柱とは、複数本あるうちの端部に立設される端柱や、端柱の間に立設される中柱、あるいは連結柱を含む。
【０００９】
本発明によれば、柱および枠材で区画される開口部分には、種類の異なる遮蔽材が設置されるとともに、遮蔽材に応じた押縁材が用いられるが、枠材には全ての押縁材に共通な取付部が設けられているので、屋外設備としていずれの遮蔽材および押縁材を用いた場合でも、枠材への押縁材の取付作業を共通にでき、施工を容易にできる。また、取付部が共通であるから、枠材をそのままにして別の押縁材に交換でき、施工後であっても、異なる遮蔽材に容易に変更できる。
また、取付部が枠カバーで覆われるので、枠材と押縁材との取付部分を隠すことができ、外観を良好にできて意匠性を向上させることができる。
【００１０】
本発明の遮蔽材の取付構造では、前記取付部は、前記枠材の下面の外方側から下方に突設されて内方側に向けて開口した鉤形状の外方側係止部と、前記下面の内方側から下方に突設されてその先端が外方側に向けて膨出しているか折曲している第１内方側係止部と、前記下面の内方側の端部から下方に突設されてその先端が外方側に向けて膨出しているか折曲している第２内方側係止部とで構成され、前記押縁材の上面の外方側には、前記外方側係止部に対して内方側から係止される外方側係止片が設けられ、前記上面の内方側には、前記第１内方側係止部に対して下方からスナップイン式で係止される第１内方側係止片が設けられ、前記上面の内方側の端部には、前記第２内方側係止部に対して下方から係合される第２内方側係止片が設けられることが好ましい。
本発明によれば、取付部が係止部で構成されているため、押縁材を係止部に対してスナップイン式に係脱でき、取付作業を一層容易にできる。また、係止部を複数設けることにより、押縁材の枠材への取付強度を大きくできる。
【００１２】
本発明の遮蔽材の取付構造では、異なる形状の前記押縁材の一つは、水平面部と、この水平面部から下方に垂設された遮蔽材取付部とを有する胴縁アタッチメントであり、この胴縁アタッチメントに対応して用いられる遮蔽材には、前記遮蔽材取付部に取り付けられる水平な取付桟が設けられていることを特徴とする。
本発明によれば、胴縁アタッチメントには、取付桟を取付可能な遮蔽材取付部が設けられるため、遮蔽材としては、上下の水平な取付桟に鉛直な格子部材を取り付けた、例えば縦格子等を適用できる。そして、水平な取付桟を採用することで、水平方向のビス止め作業によって遮蔽材と胴縁アタッチメントとを固定でき、作業をより容易にできる。しかも、水平な取付桟により、格子部材の上端と胴縁アタッチメントとの間にクリアランスを設けることができ、施工誤差を吸収できて、作業をさらに容易にできる。
【００１３】
本発明の遮蔽材の取付構造では、異なる形状の前記押縁材の一つは、水平面部と、この水平面部の外方側に設けられたカバー片とを有する押縁カバーであり、前記カバー片は、前記枠材の下方に位置したビード溝に対して内方側から近接することを特徴とする。
本発明によれば、ビード溝回りに形成されるはずのパネル保持溝がカバー片によって覆われるから、遮蔽材としては、そのようなパネル保持溝が不要な、例えば横ひし形格子、横格子、横板格子、ルーバー、線材等で造形された網状の遮蔽材等を適用できる。また、遮蔽材によってビード溝も隠すことができ、意匠性を向上させることができる。
【００１４】
本発明の遮蔽材の取付構造では、異なる形状の前記押縁材の一つは、水平面部と、この水平面部の外方側に設けられたビード押さえとを有する押縁であり、前記ビード押さえは、前記枠材の下方に位置したビード溝に対して内方側に対向することを特徴とする。
本発明によれば、押縁に設けられたビード押さえと、その外方側に位置するビード溝とにそれぞれビードを取り付けることで、ビード間にはフラットなガラスパネルや樹脂パネルを設置できる。
【図面の簡単な説明】
【００１５】
【図１】本発明の一実施形態に係る縦格子が適用されたテラス屋根を示す外観図。
【図２】縦格子が適用されたテラス屋根の要部を示す縦断面図。
【図３】縦格子が適用されたテラス屋根の要部を示す横断面図。
【図４】前枠と胴縁アタッチメントとを示す断面図。
【図５】前記テラス屋根の前枠カバーを示す斜視図。
【図６】横ひし形格子が適用されたテラス屋根を示す外観図。
【図７】横ひし形格子が適用されたテラス屋根の要部を示す縦断面図。
【図８】横ひし形格子が適用されたテラス屋根の要部を示す横断面図。
【図９】前枠と押縁カバーとを示す断面図。
【図１０】ガラスパネルが適用されたテラス屋根を示す外観図。
【図１１】ガラスパネルが適用されたテラス屋根の要部を示す縦断面図。
【図１２】ガラスパネルが適用されたテラス屋根の要部を示す横断面図。
【図１３】前枠と押縁とを示す断面図。
【図１４】ガラスパネルの取付部分を示す正面図。
【図１５】本実施形態の特徴をまとめて説明するための説明図。
【発明を実施するための形態】
【００１６】
〔縦格子仕様のテラス屋根の説明〕
以下、本発明の一実施形態を図面に基づいて説明する。
図１〜図３は、本発明の遮蔽材として縦格子４０を用いたテラス屋根１Ａを示す外観図、縦断面図、および横断面図である。
図１〜図３において、テラス屋根１Ａは、図示略の建物に隣接されたテラスに設けられる屋外設備であって、テラスの上方を覆うルーフ部２、およびルーフ部２の軒先側を支持するスクリーン部３で構成される。
【００１７】
ルーフ部２は、建物の壁面に取り付けられる水平な垂木掛け２１と、垂木掛け２１の両端にブラケットを介して軒先に向けて取り付けられる左右の側枠２２と、垂木掛け２１の長手方向の途中（本実施形態では長手方向の中央）に同様に取り付けられる垂木２３と、左右の側枠２２の先端間に架設される前枠２４と、側枠２２および垂木２３の間に架設される野縁２５と、野縁２５の上方であって、垂木掛け２１、側枠２２、および前枠２４で区画された開口部分に嵌め込まれる樹脂製で透光性を有したパネル状の屋根ふき材２６とを備える。なお、屋根ふき材２６としては、樹脂以外の材質であってもよいし、遮光性を有していてもよく、その実施にあたって任意の材質、透光性、遮光性のものを用いることができる。
【００１８】
図２において、側枠２２と前枠２４とはＬ字形形状のブラケット２７を介して連結される。側枠２２の下部側は、本実施形態では側枠化粧カバー２２１で覆われるが、必要に応じて覆われればよく、覆われない場合もある。図２では図示しない垂木２３と前枠２４との連結も同様であり、そして、垂木２３の下部側が垂木化粧カバーで覆われる。側枠２２および垂木２３において、前枠２４の上方に延設された部分の先端および屋根ふき材２６の端縁は、前枠２４の内方側立上片２４１に沿って連続して取り付けられた前枠アタッチメント２４２（図４）で覆われる。前枠２４の正面は、外方側立上片２４３に沿って取り付けられた前枠カバー２４４で覆われる。
【００１９】
ただし、前枠カバー２４４は、前枠２４の全長にわたって連続しておらず、柱３１および中柱３２間に対応した寸法に設けられる。また、前枠２４の両端は、樹脂製の前枠キャップ２４５で塞がれる。このような前枠２４には、内外の立上片２４１，２４３および底面により長手方向に連続した凹状部分が形成され、この凹状部分が横樋として機能する。ルーフ部２を構成する以上の部材は、屋根ふき材２６、ブラケット２７、および前枠キャップ２４５を除き、特に限定されるものではないが、本実施形態ではアルミの押出形材製である。
【００２０】
一方、スクリーン部３は、側枠２２の先端に対応して立設される柱３１と、垂木２３の先端に対応して立設される中柱３２と、柱３１および中柱３２の下部間に架設される下胴縁３３と、柱３１、中柱３２、前枠２４、および下胴縁３３で区画された開口部分に嵌め込まれる縦格子４０とを備える。ルーフ部２を構成する前枠２４は、左右の柱３１の上部間に位置することになる。これら柱３１、中柱３２、および下胴縁３３も、特に限定されるものではないが、本実施形態ではアルミの押出形材製である。縦格子４０については、後述する。
【００２１】
図２において、下胴縁３３は、Ｌ字形状のブラケット３４を介して柱３１および中柱３２に連結されている。また、下胴縁３３の端部底面には、ブラケット３４への固定を妨げないよう開口部分が設けられるが、この開口部分は下胴縁キャップ３５で塞がれる。
【００２２】
図３において、柱３１には、正面側に開口した凹状部分が形成されており、この凹状部分内には、樹脂製やアルミの押出形材製などの縦樋３６が収容される。縦樋３６の上端は、前枠２４の端部底面に設けられた排水口に対し、筒状のドレイン３８（図５）を介して連通している。縦樋３６の下端は、樹脂製の排水部品３７（図１、図１４をも参照）に連通している。ルーフ部２に降り注いだ雨水は、前枠２４の横樋である凹状部分に流れ込み、ここから長手方向に流れて排水口からドレインを通して縦樋３６に流れ落ち、排水部品３７から正面側に排水される。
【００２３】
また、柱３１の両側面には、パネル保持溝３１１が形成されている。このようなパネル保持溝３１１は、縦格子４０が用いられるこのスクリーン部３では不要である。このため、柱３１の縦格子４０側の側面では、パネル保持溝３１１が縦溝カバー３１２で塞がれ、外方に臨む側面では、パネル保持溝３１１が側面用の柱カバー３１３で塞がれる。これに対して中柱３２では、その正面に取り付けられるパネル押さえ３２２により左右のパネル保持溝３２１が形成され、各パネル保持溝３２１が長めの縦溝カバー３２３で塞がれる。本実施形態では、この縦溝カバー３２３の途中を切断することで、前記の縦溝カバー３１２が得られるようになっているが、各縦溝カバー３１２，３２３を別々の形材としてもよい。
【００２４】
なお、図１では、前枠２４に対して柱３１および中柱３２が通っている縦通し（縦勝ち）として図示されているが、実際には前枠２４側が通った横通し（横勝ち）になっており、前枠２４の下面に柱３１および中柱３２の上端が連結されている。そして、この連結部分が上下に連続した正面の柱カバー３１４，３２４で覆われることにより、外観上縦通しのように見せている。また、柱３１にあっては、前記の外方側の柱カバー３１３により、側面視においても外観上縦通しとされている。さらに、中柱３２にあっては、その裏面にも柱カバー３２４が取り付けられる。これらの柱カバー３１４，３２４は、同じ形材である。
【００２５】
以下には、縦格子４０とその取付構造について説明する。
図１〜図３において、縦格子４０は、上下一対の取付桟４１と、取付桟４１間に水平方向にわたって所定間隔で取り付けられる複数の格子部材４２と、中空とされた格子部材４２の下端を塞ぐ格子キャップ４３（図２）とで構成される。取付桟４１および格子部材４２はアルミの押出形材製であり、格子キャップ４３は樹脂製である。このような縦格子４０は、押縁材としての上下の胴縁アタッチメント４４，４５を介してスクリーン部３の開口部分に取り付けられる。
【００２６】
上側の胴縁アタッチメント４４は、前枠２４と縦格子４０との間に位置して、前枠２４の下面にスナップイン式にワンタッチで取り付けられ、前枠２４に対して係脱自在とされている。図４に拡大して示すように、前枠２４の下面の外方側には、下方に突設された外方側係止部２４６が設けられている。外方側係止部２４６は、内方側に向けて開口した鉤形状である。前枠２４の下面の内方側には、下方に突設された第１内方側係止部２４７および第２内方側係止部２４８が設けられている。第１、第２内方側係止部２４７，２４８は、その先端が外方側に向けて膨出しているか、折曲している。これら外方側係止部２４６、第１、第２内方側係止部２４７，２４８はそれぞれ、本発明に係る取付部である。これに加え、前枠２４には前述したように、前枠カバー２４４が取り付けられており、この前枠カバー２４４の下部側の裏面には、押縁材用カバー係止部としての第１カバー係止部２４４Ａが設けられている。第１カバー係止部２４４Ａは、上方に向けて開口した鉤形状である。
【００２７】
胴縁アタッチメント４４は、前枠２４と略同じ見込み寸法を有する平板状の水平面部４４１と、水平面部４４１の外方側に垂設された中空の格子取付部４４２とを有し、断面Ｌ字形状とされている。格子取付部４４２は、断面縦長の矩形状であり、その下部側が前枠カバー２４４の下方に露出している。胴縁アタッチメント４４の上面の外方側には、前枠２４の外方側係止部２４６に対して内方側から係止される外方側係止片４４３が設けられ、内方側には、第１、第２内方側係止部２４７，２４８に対して下方から係合される第１、第２内方側係止片４４４，４４５が設けられている。また、胴縁アタッチメント４４の格子取付部４４２において、その外方側に向いた正面には、前枠カバー２４４の第１カバー係止部２４４Ａに上方から係合されるカバー係止片４４６が設けられている。
【００２８】
このような胴縁アタッチメント４４では、カバー係止片４４６を第１カバー係止部２４４Ａに差し込むとともに、この差込部分を支点として上方に回動して外方側係止片４４３を外方側係止部２４６に係止させ、最終的に内方側を持ち上げながら第１内方側係止片４４４を第１内方側係止部２４７にスナップイン式に係止させる。また、これと同時に第２内方側係止片４４５の上端を第２内方側係止部２４８の下端に係止させて、前枠２４と胴縁アタッチメント４４との面ずれを防止する。このことから、第１内方側係止部２４７および第１内方側係止片４４４の作用により、胴縁アタッチメント４４全体としては、前枠２４に対してスナップイン式で取り付けられる。胴縁アタッチメント４４を外すときには、取付時とは逆に第１、第２内方側係止片４４４，４４５側から外せばよい。後述する横ひし形格子仕様のテラス屋根およびガラスパネル仕様のテラス屋根でも同様である。
【００２９】
なお、図２に示すように、胴縁アタッチメント４４は、ビス４４７により前枠２４にビス止めされているが、このようなビス止めは必要に応じて行われればよく、スナップイン式の取り付けで十分に取付強度を満足する場合には、省略可能である。また、胴縁アタッチメント４４と前枠カバー２４４とは独立した部材であるため、胴縁アタッチメント４４を前枠２４に取り付けた後、前枠カバー２４４を前枠２４に取り付けてもよい。このような場合には、胴縁アタッチメント４４の外方側係止片４４３を先に前枠２４の外方側係止部２４６に差し込んで係止させる。そして、前枠カバー２４４を、最後に前枠２４と胴縁アタッチメント４４とに係止させ、前枠２４にビス止めする。
【００３０】
下側の胴縁アタッチメント４５は、図２に示すように、上側の胴縁アタッチメント４４と対象をなす形状であり（同一の形材を上下逆さにして用いられている）、従って、平板状の水平面部４５１、中空の格子取付部４５２、下胴縁３３の外方側係止部３３１に係止される外方側係止片４５３、下胴縁３３の第１、第２内方側係止部３３２，３３３に係合される第１、第２内方側係止片４５４，４５５、下胴縁３３正面のカバー部３３４に設けられたカバー係止部３３５に係合されるカバー係止片４５６を有する。胴縁アタッチメント４５の係脱方法等は、胴縁アタッチメント４４を参照することで容易に理解できるため、ここでの説明を省略する。
【００３１】
このような胴縁アタッチメント４４，４５に対して縦格子４０は、格子部材４２の下端を下胴縁３３の上面に載置しつつ、外方側にずらして上下の取付桟４１を各胴縁アタッチメント４４，４５の格子取付部４４２，４５２に内方側から当接し、格子取付部４４２，４５２の裏面に内方側から水平方向にビス止めすることで取り付けられる。そして、下胴縁３３のカバー部３３４に設けられたビード溝３３４Ａには、塵埃や雨水の浸入を防止するためのビード７０が嵌め込まれる。以上に説明したように、胴縁アタッチメント４４，４５は、スクリーン部３の開口部分に縦格子４０を取り付けるために用意される部品である。
【００３２】
ここで、前枠カバー２４４について詳細に説明しておく。
図２、図４において、前枠カバー２４４の上端には、ビスが螺合される螺合溝２４４Ｂが設けられ、上下方向の中程には、前枠２４の外方側端部係止片２４９に係止される枠材用カバー係止部としての第２カバー係止部２４４Ｃが設けられ、下端には、ビード溝２４４Ｄが設けられている。ただし、遮蔽材として縦格子４０が用いられる場合、このビード溝２４４Ｄへのビードの取付は不要である。
【００３３】
前枠カバー２４４では、上端の螺合溝２４４Ｂを前枠２４の外方側立上片２４３の先端に設けられた螺合片２４３Ａに下方から当接させると同時に、第２カバー係止部２４４Ｃを外方側端部係止片２４９に係止させる。この際、図４に示すように、柱３１および中柱３２（パネル押さえ３２２）の各パネル保持溝３１１、３２１（図３）を形成している部分には、上端側に切欠部３１１Ｂ，３２１Ｂ（図５）が設けられており、この切欠部３１１Ｂ，３２１Ｂに前枠カバー２４４を架け渡すように載置し、仮置きしておくことが可能である。そして、この仮置き状態からビス２４４Ｅによるビス止め作業を行うことで、作業を容易に行うことができる。
このような前枠カバー２４４は、後述するように、縦格子４０以外の遮蔽材が適用される場合にも、共通に用いられる。
【００３４】
〔横ひし形格子仕様のテラス屋根の説明〕
図６〜図８は、本発明の遮蔽材として横ひし形格子５０を用いたテラス屋根１Ｂを示す外観図、縦断面図、および横断面図である。図６〜図８では、前述した縦格子４０使用のテラス屋根１Ａと同一部材および同一機能部材には同じ符号を付し、ここでのそれらの部材の説明を省略または簡略化する。後述するガラスパネル仕様のテラス屋根の説明でも同様である。
【００３５】
図６〜図８において、テラス屋根１Ｂのスクリーン部３では、柱３１および中柱３２間の開口部分に横ひし形格子５０が嵌め込まれている。横ひし形格子５０は、左右一対の鉛直な取付桟５１と、取付桟５１間に上下方向にわたって所定間隔で取り付けられる複数の断面ひし形のひし形格子部材５２と、中空とされた取付桟５１上端および下端を塞ぐ取付桟キャップ５３（図７）とで構成される。取付桟５１およびひし形格子部材５２はアルミの押出形材製であり、取付桟キャップ５３は金属製の平板部材である。このような横ひし形格子５０では、押縁材としての押縁カバー５４が前枠２４に取り付けられる。また、横ひし形格子５０は、柱３１および中柱３２に対して左右の縦材５５を介して取り付けられる。
【００３６】
押縁カバー５４は、前枠２４と横ひし形格子５０との間に位置して、前枠２４の下面を覆い隠すとともに、開口部分内での最上部のひし形格子部材５２の上部と前枠２４との間の隙間（パネル保持溝が形成される部分）を埋めることに用いられる。図９にも示すように、押縁カバー５４の水平面部５４１の外方側には、前枠２４の外方側係止部２４６に係止される外方側係止片５４２が設けられ、内方側には、前枠２４の第１、第２内方側係止部２４７，２４８に係止される第１、第２内方側係止片５４３，５４４が設けられている。従って、このような押縁カバー５４も、特に第１内方側係止部２４７および第１内方側係止片５４３の作用により、前枠２４に対してスナップイン式にワンタッチで係脱される。さらに、押縁カバー５４の外方側の端部には、前枠カバー２４４のビード溝２４４Ｄに内方側から近接して対向したカバー片５４５が延設されており、前枠カバー２４４および外方側係止片５４２間の空間を覆っている。なお、このような横ひし形格子５０の場合でも、横ひし形格子５０を設置した後に前枠カバー２４４を前枠２４に取り付けることが可能である。
【００３７】
横ひし形格子５０を取り付ける際に用いられる縦材５５は、図８に示すように、柱３１または中柱３２にビス止めされる固定片５５１と、固定片５５１の外方側から見付け方向に延出した中空の格子取付部５５２とにより縦断面Ｌ字形状とされている。固定片５５１には、固定用のビスを隠すための縦材アタッチメント５５３が取り付けられる。縦材５５の上端には、縦材５５の断面形状に合わせたＬ字形状の縦材上部キャップ５５４（図７）が取り付けられ、下端には縦材下部キャップ５５５（図７）が取り付けられる。縦材下部キャップ５５５の形状は、縦材５５の断面形状よりも外方側に大きく、外方側に延出した載置部５５５Ａを有している。このような縦材５５は柱３１および中柱３２の内方側寄りに固定され、縦材５５に対して横ひし形格子５０の取付桟５１が外方側からあてがわれ、内方側から水平方向にビス止めされる。この際、横ひし形格子５０の取付桟５１の下端は、縦材下部キャップ５５５の載置部５５５Ａに載せられて仮置きされ、この状態でビス止めされる。また、縦材５５が柱５１および中柱５２の内方側寄りに固定されていることで、ひし形格子部材５２が柱５１および中柱５２の内々に納められ、ひし形格子部材５２の端部での格子端部キャップを不要にしている。
【００３８】
ところで、前枠２４に押縁カバー５４を取り付けることで適用される遮蔽材としては、横ひし形格子５０に限定されない。例えば、横ひし形格子５０の他、図示を省略するが、横格子、横板格子、ルーバーなど、押縁カバー５４に直接的に取り付けられることのない遮蔽材を適用することができる。なお、遮蔽材の種類に応じて縦材５５の形状や固定位置等を変更してもよい。
【００３９】
〔ガラスパネル仕様のテラス屋根の説明〕
図１０〜図１２は、本発明の遮蔽材としてガラスパネル６０を用いたテラス屋根１Ｃを示す外観図、縦断面図、および横断面図である。
図１０〜図１２において、テラス屋根１Ｃのスクリーン部３では、柱３１および中柱３２間の開口部分にガラスパネル６０が嵌め込まれている。ガラスパネル６０としては、強化ガラスが好ましい。また、ガラスパネル６０に限定されず、ポリカーボネート等の樹脂製のパネル材であってもよく、アルミパネル等の軽金属製のパネル材であってもよい。ガラスパネル６０は、押縁材としての上下の押縁６１，６２を用いてスクリーン部３の開口部分に取り付けられる。
【００４０】
図１３にも示すように、押縁６１の平板状の水平面部６１１の外方側には、前枠２４の外方側係止部２４６に係止される外方側係止片６１２が設けられ、内方側には、前枠２４の第１、第２内方側係止部２４７，２４８に係止される第１、第２内方側係止片６１３，６１４が設けられている。従って、このような押縁６１も、第１内方側係止部２４７および第１内方側係止片６１３の作用により、前枠２４とガラスパネル６０との間に位置し、前枠２４に対してスナップイン式にワンタッチで係脱される。さらに、押縁６１の外方側の端部には、前枠カバー２４４のビード溝２４４Ｄに対し内方側に離間して対向したビード押さえ６１５が延設されている。
【００４１】
また、テラス屋根１Ｃのスクリーン部３では、柱３１および中柱３２の下部間に下胴縁３３が架設され、この下胴縁３３上に下側の押縁６２が係止されている。押縁６２の形状は、押縁６１と対象形であり（同一の形材を上下逆さにして用いられている）、水平面部６２１の他、下胴縁３３の外方側係止部３３１に係止される外方側係止片６２２、下胴縁３３の第１、第２内方側係止部３３２，３３３に係止される第１、第２内方側係止片６２３，６２４、下胴縁３３正面のビード溝３３４Ａに対向したビード押さえ６２５を有する。
【００４２】
図１１、図１２において、前枠カバー２４４のビード溝２４４Ｄ、下胴縁３３のビード溝３３４Ａ（図１１）、柱３１および中柱３２に設けられた各ビード溝３１１Ａ，３２１Ａには（図１２）、ビード７１が取り付けられる。また、押縁６１，６２のビード押さえ６１５，６２５（図１１）、柱３１および中柱３２に設けられたビード押さえ３１５，３２５には（図１２）、ビード７２が取り付けられる。このうち、ビード７２は後付けとされる。つまりガラスパネル６０が設置され、押縁６１，６２が取り付けられた後に、ビード７２が各ビード押さえ３１５，３２５，６１５，６２５に取り付けられる。
【００４３】
より具体的には、テラス屋根１Ｃのスクリーン部３においては先ず、前枠２４に前枠カバー２４４を取り付けておき、柱３１、中柱３２、前枠カバー２４４、下胴縁３３のそれぞれのビード溝３１１Ａ，３２１Ａ，２４４Ｄ，３３４Ａにビード７１を取り付けておく。ビード７１としては、各ビード溝３１１Ａ，３２１Ａ，２４４Ｄ，３３４Ａにわたって連続した１本ものでもよし、ビード溝３１１Ａ，３２１Ａ，２４４Ｄ，３３４Ａ毎に１本ずつ設けられてもよい。そして、内方側からガラスパネル６０を建て込んでセッティングブロック上に載置し、この後に押縁６１，６２を取り付け、最後にビード７２をビード押さえ３１５，３２５，６１５，６２５に取り付ける。ビード７２としても、各ビード押さえ３１５，３２５，６１５，６２５にわって連続した１本ものでもよいし、ビード押さえ３１５，３２５，６１５，６２５毎に１本ずつ設けられてもよい。なお、前枠カバー２４４を外しておけば、押縁６１，６２を取り付けた後でも、ガラスパネル６０を外方側から設置したり、取り外したりすることも可能である。
【００４４】
図１４には、前枠カバー２４４の柱３１および中柱３２への呑込部分が示されている。柱３１のビード溝３１１Ａが設けられている部分は、前枠カバー２４４と干渉しないよう上端側から切り欠かれているうえ、柱カバー３１４にも切欠部３１４Ａ（図１１）が設けられている。同様に、中柱３２のパネル押さえ３２２でも、ビード溝３２１Ａの上端側が切り欠かれ、柱カバー３２４には図示しない切欠部が設けられる。こうすることで、前枠カバー２４４の裏面に付着した水滴等を、長さ方向に伝ってその端部の小口からパネル保持溝３１１，３２１内を通って落下させることができる。
【００４５】
ここで、図１４に示す符号３１６は、柱３１と前枠２４との連結を補助する柱連結材であり、符号３２６は、中柱３２と前枠２４との連結を補助する柱連結材である。柱連結材３１６，３２６の上端縁は直角に折曲しており、前枠２４の外方側端部係止片２４９に係止され、下部側が柱３１、中柱３２にビス止めされる。また、符号３１７は、柱３１に設けられた柱補強板であり、柱カバー３１４を取り付ける際、柱３１と係合する部分が開き過ぎて係合できなくなることを防ぐための平板状の金属部品である。
【００４６】
以上に説明したように、また、図１５にまとめて示されるように、テラス屋根１Ａでは、前枠２４に取り付けられる押縁材として胴縁アタッチメント４４を用いることで、スクリーン部３には縦格子４０が設置されている。テラス屋根１Ｂでは、押縁材として押縁カバー５４を用いることで、横ひし形格子５０が設置され、さらには、横格子、横板格子、ルーバー、線材で造形された網状遮蔽材等が設置可能である。テラス屋根１Ｃでは、押縁６１を用いることでガラスパネル６０が設置され、さらには樹脂パネル、金属パネル等が設置可能である。そして、これらの胴縁アタッチメント４４、押縁カバー５４、および押縁６１は、共通の外方側係止部２４６、第１、第２内方側係止部２４７，２４８を有した前枠２４に係止されるから、同一の前枠２４を用いることが可能である。従って、テラス屋根１Ａの施工後においても、胴縁アタッチメント４４、押縁カバー５４、および押縁６１を相互に入れ換えることで、図１５に示す種々の遮蔽材に交換可能である。
【００４７】
以上の本実施形態によれば、以下の効果がある。
（１）すなわち、スクリーン部３の開口部分には、縦格子４０、横ひし形格子５０、あるいはガラスパネル６０といった種類の異なる遮蔽材が設置されるとともに、遮蔽材に応じた押縁材が胴縁アタッチメント４４、押縁カバー５４、および押縁６１の中から選択的に用いられるが、前枠２４には全ての押縁材に共通な取付部として外方側係止部２４６、第１、第２内方側係止部２４７，２４８が設けられているので、テラス屋根１Ａ，１Ｂ，１Ｃとしていずれの遮蔽材および押縁材を用いた場合でも、前枠２４への胴縁アタッチメント４４、押縁カバー５４、および押縁６１の取付作業を共通にでき、施工を容易にできる。また、外方側係止部２４６、第１、第２内方側係止部２４７，２４８が共通であるから、前枠２４をそのままにして別な押縁材に交換でき、施工後であっても、異なる遮蔽材に容易に変更できる。
【００４８】
（２）前枠２４と胴縁アタッチメント４４、押縁カバー５４、押縁６１との取付や取外は、外方側係止部２４６、第１、第２内方側係止部２４７，２４８と外方側係止片４４３，５４２，６１２、第１、第２内方側係止片４４４，４４５，５４３，５４４，６１３，６１４との係脱によってスナップイン式にでき、取付作業を一層容易にできる。
また、係止部分が複数設けられているため、前枠２４と胴縁アタッチメント４４、押縁カバー５４、押縁６１との取付強度を大きくできる。
【００４９】
（３）また、外方側係止部２４６、第１、第２内方側係止部２４７，２４８と外方側係止片４４３，５４２，６１２、第１、第２内方側係止片４４４，４４５，５４３，５４４，６１３，６１４との係止部分が前枠カバー２４４で隠れるため、テラス屋根１Ａ，１Ｂ，１Ｃの各スクリーン部３の外観を良好にでき、意匠性を向上させることができる。
【００５０】
（４）縦格子４０が設置されたテラス屋根１Ａでは、縦格子４０として水平な取付桟４１が採用されているため、水平方向のビス止め作業によって縦格子４０と胴縁アタッチメント４４，４５とを固定でき、作業をより容易にできる。しかも、水平な取付桟４１により、格子部材４２の上端と胴縁アタッチメント４４との間にクリアランスＣ（図２）を設けることができ、施工誤差を吸収できて、作業をさらに容易にできる。
【００５１】
（５）横ひし形格子５０が設置されたテラス屋根１Ｂにおいては、鉛直な取付桟５１を採用しているが、このような取付桟５１と縦材５５とがやはり、水平方向のビス止め作業によって固定されているので、テラス屋根１Ｂでの作業性も良好である。
【００５２】
（６）テラス屋根１Ｂ，１Ｃで用いられている上方の押縁カバー５４および押縁６１では、水平面部５４１，６１１の下面がフラットであり、また、特にテラス屋根１Ｃの下方の押縁６２では、水平面部６２１の上面がフラットであるから、横ひし形格子５０やガラスパネル６０に代えて他の遮蔽材を設置した場合でも、上部分の内観、あるいは上下両方の内観を統一でき、意匠性を向上させることができる。
【００５３】
（７）テラス屋根１Ａでの胴縁アタッチメント４４，４５は、同一の押出形材が向きを変えて用いられており、同様に、テラス屋根１Ｃでの押縁６１，６２も、同一の押出形材が向きを変えて用いられているので、形材点数を削減できる。
【００５４】
（８）テラス屋根１Ａの胴縁アタッチメント４４，４５には、取付桟４１が固定される格子取付部４４２，４５２が一体に設けられているので、これらの格子取付部を別部材で構成する必要がない。
テラス屋根１Ｂでの押縁カバー５４には、パネル保持溝として形成される部分を覆うカバー片５４５が一体に設けられているため、そのようなカバー片を別体のアタッチメントにて構成する必要がない。
テラス屋根１Ｃでの押縁６１，６２には、ビード押さえ６１５，６２５が一体に設けられているので、ガラスパネル６０を押さえたり、ビード７２を取り付けたりする部材を別に用意する必要がない。
以上により、各テラス屋根１Ａ，１Ｂ，１Ｃでの形材点数をさらに削減できるという効果がある。
【００５５】
なお、本発明は以上に説明した実施形態に限定されるものではなく、本発明の目的を達成できる範囲での変形例等は、本発明に含まれる。
例えば、前記実施形態では、本発明に係る取付部として、前枠２４と、胴縁アタッチメント４４、押縁カバー５４、および押縁６１とがスナップイン式に係脱される構造であったが、取付部としてはこれに限定されず、全ての遮蔽材をスライド式に設置できる共通な構造を採用したり、ビス止めにより固定できる共通な構造を採用したりしてもよい。
【００５６】
前記実施形態では、一対の柱３１と、これらの柱３１間に立設された中柱３２とを備えたスクリーン部３について説明したが、より見付け寸法の大きいスクリーン部を施工する場合などには、柱間の中柱の本数を適宜増やすことが可能である。また、中柱が存在せず、一対の柱のみを備えたスクリーン部であってもよい。
また、前記実施形態で説明した部材の材質等も、実施形態のものに限定されず、機能を損なわない範囲で任意の材質を適用できる。例えば、アルミの押出形材などは、場合によっては樹脂の押出成形材でもよいし、樹脂製の部品を金属製としてもよい。
【符号の説明】
【００５７】
１Ａ，１Ｂ，１Ｃ…屋外設備であるテラス屋根、２４…枠材である前枠、３１…柱、４０…遮蔽材である縦格子、４１…取付桟、４４…押縁材である胴縁アタッチメント、５０…遮蔽材である横ひし形格子、５４…押縁材である押縁カバー、６０…遮蔽材であるガラスパネル、６１…押縁材である押縁、２４４…枠カバーである前枠カバー、２４４Ａ…押縁材用カバー係止部としての第１カバー係止部、２４４Ｃ…枠材用カバー係止部としての第２カバー係止部、２４４Ｄ…ビード溝、２４６…取付部である外方側係止部、２４７…取付部である第１内方側係止部、２４８…取付部である第２内方側係止部、４４２…遮蔽材取付部である格子取付部、４４１，５４１，６１１…水平面部、４４３，５４２，６１２…外方側係止片、４４４，５４３，６１３…第１内方側係止片、４４５，５４４，６１４…第２内方側係止片、５４５…カバー片、６１５…ビード押さえ。
【図１】
0005827922.tif 000002
【図２】
0005827922.tif 000003
【図３】
0005827922.tif 000004
【図４】
0005827922.tif 000005
【図５】
0005827922.tif 000006
【図６】
0005827922.tif 000007
【図７】
0005827922.tif 000008
【図８】
0005827922.tif 000009
【図９】
0005827922.tif 000010
【図１０】
0005827922.tif 000011
【図１１】
0005827922.tif 000012
【図１２】
0005827922.tif 000013
【図１３】
0005827922.tif 000014
【図１４】
0005827922.tif 000015
【図１５】
0005827922.tif 000016